(57)【要約】【課題】書き換え可能な表示装置を、部品数を少なくすることによって、よりペーパライクなものにする。【解決手段】いわゆるフロントプレーン部を表示装置１００に設け、いわゆるバックプレーン部を駆動装置２００に設けるとともに、表示装置１００を着脱可能にし、書き換えを行うときにのみ表示装置１００を駆動装置２００に装着する。表示装置１００は、共通電極と表示素子とを備え、駆動装置２００は、画素電極が実装された第１基板２２０と、駆動回路２３１と、表示装置１００を動かないように保持する保持部材２５０と、表示装置１００を第１基板２２０の方向に付勢する付勢部材２４０とを備える。駆動装置２００は、書き換えを行うときに表示装置１００を付勢し、共通電極に導通するようにするとともに、画素電極に書き込む画像に応じた電圧信号を供給することにより、表示装置の表示素子に電圧を印加する。【選択図】図４
2009216807.tif 000002
【特許請求の範囲】
【請求項１】
駆動装置に対して着脱可能な表示装置と、表示装置を駆動する駆動装置とを有する表示システムであって、
前記表示装置は、
面状の領域を有する共通電極と、
前記共通電極と導通する第１の導通電極と、
前記共通電極の前記領域の一方の面側を覆う絶縁部材と、
前記共通電極の前記領域の他方の面側に接着される表示素子であって、所定電圧が印加された場合に当該所定電圧に応じた画像を表示するとともに、電圧の印加後であって電圧が印加されない状態においても表示した画像を保持する表示素子と、
前記表示素子を介して前記共通電極の前記領域と対向して前記表示素子を支持する支持部材と
を備え、
前記駆動装置は、
前記表示素子に対応する面である電極面を有する基板と、
前記基板の電極面に、前記表示素子により表示される画素に対応して設けられる画素電極と、
前記第１の導通電極と接触することにより前記共通電極と導通する第２の導通電極と、
前記画素電極が前記支持部材と接触し、前記第２の導通電極が前記第１の導通電極と接触した場合に、前記表示素子に対して、表示する画像に応じた電圧を前記画素電極及び前記第２の導通電極を介して印加する駆動回路と
を備える
ことを特徴とする表示システム。
【請求項２】
前記共通電極と前記第１の導通電極とが導電膜により一体に形成されていることを特徴とする請求項１に記載の表示システム。
【請求項３】
前記駆動装置が、前記画素電極と前記支持部材とが密着して接触するように付勢する付勢手段を備えることを特徴とする請求項１に記載の表示システム。
【請求項４】
前記共通電極は、中心に対して対称な形状である前記領域を有し、
前記第１の導通電極は、前記共通電極と導通する第１及び第２の導通部を、各々が前記領域の中心に対して対称となる位置に有する
ことを特徴とする請求項１に記載の表示システム。
【請求項５】
前記第２の導通電極と前記共通電極とが導通していることを検知する検知手段を備え、
前記駆動回路は、前記検知手段により導通が検知された場合に、電圧を印加する
ことを特徴とする請求項１に記載の表示システム。
【請求項６】
画像を読み取り、読み取った画像を表す画像データを生成する読取手段を備え、
前記駆動回路は、前記読取手段により生成された画像データに応じた電圧を印加する
ことを特徴とする請求項１に記載の表示システム。
【請求項７】
自装置に対して着脱可能な表示装置であって、表示面と、表示面に対応する共通電極とを有する表示装置を動かないように保持する保持部材と、
前記保持部材により保持されている前記表示装置の表示面に対応する位置に電極面を有する基板と、
前記基板の電極面に設けられる画素電極と、
前記保持部材により保持されている前記表示装置の共通電極と導通する導通電極と、
前記保持部材により前記表示装置が保持されている場合に、前記画素電極及び前記導通電極に所定の電圧を印加する駆動回路と
を備えることを特徴とする駆動装置。
【発明の詳細な説明】
【技術分野】
【０００１】
本発明は、いわゆる記憶性表示素子を用いた表示装置に関する。
【背景技術】
【０００２】
いわゆる電子ペーパは、一般に、紙のように扱えることを目的とした表示装置であり、その特性からペーパライクディスプレイとも呼ばれる（例えば、特許文献１参照）。ここにおける「紙のように（ペーパライク）」とは、書き換えが繰り返し可能であることや、軽量かつ薄型で、容易に持ち運べることなどを指すことが多い。電子ペーパにおいて、記憶性表示素子、すなわち、電圧を印加しなくても表示状態を維持することができる表示素子を用いると、電力消費を抑制することが可能であり、軽量化や薄型化に寄与する。
【特許文献１】特開２００５−１９２０７１号公報
【発明の開示】
【発明が解決しようとする課題】
【０００３】
電子ペーパは、部品が多いと、その分、重量や厚みを増しやすくなり、“紙らしさ”が損なわれる。また、電子ペーパは、部品が多いほど構成も複雑となり、落下や曲げなどによって故障しやすくなる。一方、紙は、落としたり、曲げたりしても、その使用に何ら支障がないのが普通である。
そこで、本発明は、書き換え可能な表示装置を、部品数を少なくすることによって、よりペーパライクなものにすることを目的とする。
【課題を解決するための手段】
【０００４】
本発明に係る駆動装置は、自装置に対して着脱可能な表示装置であって、表示面と、表示面に対応する共通電極とを有する表示装置を動かないように保持する保持部材と、前記保持部材により保持されている前記表示装置の表示面に対応する位置に電極面を有する基板と、前記基板の電極面に設けられる画素電極と、前記保持部材により保持されている前記表示装置の共通電極と導通する導通電極と、前記保持部材により前記表示装置が保持されている場合に、前記画素電極及び前記導通電極に所定の電圧を印加する駆動回路とを備えることを特徴とする。
【０００５】
また、本発明に係る表示システムは、駆動装置に対して着脱可能な表示装置と、表示装置を駆動する駆動装置とを有し、前記表示装置は、面状の領域を有する共通電極と、前記共通電極と導通する第１の導通電極と、前記共通電極の前記領域の一方の面側を覆う絶縁部材と、前記共通電極の前記領域の他方の面側に接着される表示素子であって、所定電圧が印加された場合に当該所定電圧に応じた画像を表示するとともに、電圧の印加後であって電圧が印加されない状態においても表示した画像を保持する表示素子と、前記表示素子を介して前記共通電極の前記領域と対向して前記表示素子を支持する支持部材とを備え、前記駆動装置は、前記表示素子に対応する面である電極面を有する基板と、前記基板の電極面に、前記表示素子により表示される画素に対応して設けられる画素電極と、前記第１の導通電極と接触することにより前記共通電極と導通する第２の導通電極と、前記画素電極が前記支持部材と接触し、前記第２の導通電極が前記第１の導通電極と接触した場合に、前記表示素子に対して、表示する画像に応じた電圧を前記画素電極及び前記第２の導通電極を介して印加する駆動回路とを備えることを特徴とする。
【０００６】
本発明によれば、表示装置に画像を書き込むための構成、すなわち、画素電極や駆動回路を表示装置とは別体に設けることが可能であるため、かかる構成を表示装置に設ける場合に比べ、表示装置の部品数を少なくすることが可能である。
【発明を実施するための最良の形態】
【０００７】
［実施形態］
図１は、本発明の一実施形態である表示システムの構成を示す図である。同図に示すように、本実施形態の表示システム１０は、表示装置１００と、駆動装置２００と、データ供給装置３００とを備える。表示装置１００は、平面状のいわゆる電子ペーパである。表示装置１００は、単独で持ち運び可能であるとともに、画像の書き換えが可能である。表示装置１００は、画像の書き換えを行う場合には、駆動装置２００に装着される。駆動装置２００は、表示装置１００を駆動するものである。駆動装置２００は、表示装置１００を着脱可能であり、表示装置１００が装着されたときに、画像を表す画像データに応じた電圧を表示装置１００に印加する。駆動装置２００は、内部に電池等の電源を備え、これにより動作してもよいし、データ供給装置３００から電力を供給されて動作してもよい。データ供給装置３００は、駆動装置２００と有線又は無線により接続されており、駆動装置２００に画像データを供給する。データ供給装置３００は、例えば、パーソナルコンピュータであり、ユーザによる画像データの選択や加工を行い得るようにしてもよい。
【０００８】
図２は、表示装置１００の外観を示す図である。同図に示すように、表示装置１００は、表示領域１００Ａと非表示領域１００Ｂとを有する。表示領域１００Ａは、複数の画素を構成し、画像を表示する領域である。すなわち、表示領域１００Ａは、画像の表示面である。表示領域１００Ａの形状や面積は、任意であるが、例えば、Ａ４サイズ（長辺２９７ｍｍ、短辺２１０ｍｍ）又はＢ５サイズ（長辺２５７ｍｍ、短辺１８２ｍｍ）程度の長方形であると望ましい。非表示領域１００Ｂは、画素が設けられていない領域であり、画像を表示しない領域である。
【０００９】
図３は、図２に示すＡ−Ａ線を切断面とした場合の表示装置１００の構成を示す断面図である。同図に示すように、表示装置１００は、絶縁シート１１０、共通電極１２０、表示素子１３０及び支持シート１４０の４層を有する。また、表示装置１００は、表示素子１３０及び支持シート１４０の端部に沿って、封止部材１５０を有する。表示装置１００は、全体として曲げられることが望ましいため、表示装置１００を構成する各部材は、可撓性（比較的容易に撓む性質）を有することが望ましい。
なお、説明の便宜上、以下においては、表示装置１００の絶縁シート１１０側の面を「表面」といい、支持シート１４０側の面を「裏面」という。
【００１０】
絶縁シート１１０は、共通電極１２０の表面側を覆うように設けられる平面状の部材であり、共通電極１２０を絶縁するシート状の絶縁体である。絶縁シート１１０は、共通電極１２０を絶縁できる厚さを有すれば十分であるが、その厚さは、１００μｍ程度である。絶縁シート１１０としては、ＰＥＴ（ポリエチレンテレフタラート）など、無色で可視光線をよく透過するものを用いるのが望ましい。
【００１１】
共通電極１２０は、少なくとも表示領域１００Ａの全面に対して設けられる平面状の電極である。本実施形態の共通電極１２０は、表示領域１００Ａの全面に加え、非表示領域１００Ｂの一部に設けられる。共通電極１２０としては、ＩＴＯ（酸化インジウム錫）等の透明導電膜を用いるのが望ましい。共通電極１２０の厚さは、数μｍ程度である。
【００１２】
表示素子１３０は、複数の画素を構成し、各画素を所定の階調にすることにより画像を表示する。また、表示素子１３０は、接着剤によって共通電極１２０の裏面側に接着されている。本実施形態の表示素子１３０は、電圧が印加された場合に、印加された電圧に応じた画像を表示するとともに、電圧の印加後には電圧が印加されなくても表示した画像を保持しようとする、いわゆる記憶性（又は双安定性）を有する。本実施形態の表示素子１３０は、電気泳動素子であり、複数のマイクロカプセル１３１により構成される。マイクロカプセル１３１は、ある極性（プラス又はマイナスの一方）に帯電された黒色の微粒子と、黒色の微粒子と逆の極性（プラス又はマイナスの他方）に帯電された白色の微粒子とを封入するとともに、絶縁性を有する分散媒を充填した球状の粒子であり、印加された電圧に応じて微粒子を移動させ、当該電圧に応じた階調を呈する。なお、マイクロカプセル１３１の粒径は、６０μｍ程度である。
【００１３】
支持シート１４０は、表示素子１３０の裏面側から表示素子１３０を剥がれないように支持するシート状の部材である。また、支持シート１４０は、表示素子１３０を保護する機能を有する。支持シート１４０としては、例えばＰＥＴが用いられ、その厚さは、数μｍ程度である。
封止部材１５０は、表示素子１３０を封止する部材であり、表示素子１３０及び支持シート１４０の端部に沿って設けられる。封止部材としては、例えばアクリル樹脂、エポキシ樹脂などが用いられる。
【００１４】
図３に示すように、共通電極１２０には、表示素子１３０が接着されず、支持シート１４０に覆われていない部分がある。すなわち、この部分は、絶縁されずに露出している。この部分のことを、以下では「導通部」という。導通部は、後述する導通電極と導通を行うために設けられる領域であり、本発明の「第１の導通電極」の一例である。
このように、共通電極１２０は、表示素子１３０が設けられた領域と導通部とを有する。表示素子１３０が設けられた領域は、表示面と重なる領域である。つまり、表示素子１３０が設けられた領域は、表示領域１００Ａに含まれ、導通部は、非表示領域１００Ｂに含まれる。
【００１５】
図４は、駆動装置２００の内部の構成を示す図である。なお、同図に示す破線は、駆動装置２００に差し込まれた状態の表示装置１００を表している。この状態において、表示装置１００は、その表面が矢印Ｒの方向を向き、裏面が矢印Ｌの方向を向く。また、以下においては、矢印Ｒの方向を「右」、矢印Ｌの方向を「左」とし、矢印Ｕの方向を「上」、矢印Ｄの方向を「下」とする。しかしながら、駆動装置２００の姿勢は、この例に限定されず、ここでいう左右のいずれかを上に向けて用いることなども可能である。
【００１６】
駆動装置２００は、図４に示すように、スロット２１０と、第１基板２２０と、第２基板２３０と、付勢部材２４０と、保持部材２５０とを備える。スロット２１０は、表示装置１００を駆動装置２００の内部に差し込み、装着するための開口部である。なお、スロット２１０には、開閉する扉を設けてもよい。第１基板２２０は、後述する画素電極２２１及び導通電極２２２を実装するための基板である。第１基板２２０としては、例えば、ガラス板が用いられる。第２基板２３０は、駆動回路２３１を実装するための基板である。駆動回路２３１は、データ供給装置３００から供給される画像データを取得し、画像データに応じた電圧を供給する回路である。駆動回路２３１は、画素電極２２１及び導通電極２２２と導通しており、画像データに応じた電圧を画素電極２２１及び導通電極２２２に印加する。
【００１７】
付勢部材２４０は、表示装置１００が装着されたときに、表示装置１００を右方向、すなわち第１基板２２０に接触するように付勢する部材である。すなわち、付勢部材２４０は、表示装置１００が装着される前には、表示装置１００の進入を許容するように、画素電極２２１及び導通電極２２２との間に所定の間隔をもって存在している。付勢部材２４０は、例えば、バネ等の弾性部材により押圧する力を得て、表示装置１００を付勢する。付勢部材２４０は、表示装置１００を付勢する場合において、表示装置１００の支持シート１４０と画素電極２２１とが密着するように接触させることが望ましい。このとき、付勢部材２４０は、表示装置１００の全面を一様な力で付勢すると、より望ましい。
【００１８】
保持部材２５０は、表示装置１００が装着され、表示装置１００に電圧が印加されるときに、表示装置１００が動かないようにこれを保持する部材である。保持部材２５０は、表示装置１００が保持された場合に、支持シート１４０と画素電極２２１とが接触し、導通部と導通電極２２２とが接触するような位置に設けられる。また、保持部材２５０は、表示装置１００の書き換えが終了し、ユーザがこれを取り出そうとする場合に、表示装置１００の少なくとも一部がスロット２１０より上方に移動するような機構を有してもよい。このような機構は、例えば、バネ等の弾性部材により保持部材２５０を押し上げることで実現される。
【００１９】
図５は、第１基板２２０の構成を概略的に示す図であり、第１基板２２０が有する面のうちの表示装置１００と接触する面を示す図である。このように、第１基板２２０は、表示装置１００の共通電極１２０や表示素子１３０に対応する、画素電極２２１及び導通電極２２２が設けられた面を有する。この面のことを、以下では「電極面」という。第１基板２２０には、同図に示すように、複数の画素電極２２１と、導通電極２２２と、接続端子２２３とが設けられている。また、接続端子２２３は、配線２２７、２２８及び２２９と導通している。なお、本実施形態において、画素電極２２１は、複数行及び複数行に渡り、マトリクス状に形成されている。
【００２０】
画素電極２２１は、表示素子１３０により表示される画素に対応して電極面に設けられる電極である。すなわち、画素電極２２１の数は、表示素子１３０の画素数と同数である。電極面のうちの画素電極２２１が設けられている領域は、表示装置１００が装着された場合に、表示領域１００Ａに重なる。導通電極２２２は、共通電極１２０の導通部に対応して電極面に設けられる電極であり、本発明の「第２の導通電極」の一例である。導通電極２２２は、表示装置１００が装着された場合に、共通電極１２０の導通部と重なって接触する。接続端子２２３は、駆動回路２３１と電気的に接続されており、駆動回路２３１から供給される電圧を配線２２７、２２８及び２２９を介して画素電極２２１及び導通電極２２２に印加する。
【００２１】
図６は、第１基板２２０の電極面の構成をより詳細に示す図であり、図５に示した構成の一部を拡大して示す図である。同図に示すように、第１基板２２０には、走査線２２４と、データ線２２５と、スイッチング素子２２６とが設けられている。走査線２２４、データ線２２５及びスイッチング素子２２６は、第１基板２２０の電極面にパターニングされており、薄膜状である。走査線２２４は、画素電極２２１がなすマトリクスの行方向に延在する導電体であり、配線２２７と導通している。走査線２２４は、各々が互いに平行になるように、複数設けられている。データ線２２５は、画素電極２２１がなすマトリクスの列方向に、走査線２２４と交差するように延在する導電体である。データ線２２５は、配線２２８と導通し、各々が互いに平行になるように複数設けられている。スイッチング素子２２６は、走査線２２４とデータ線２２５との交差に対応するように設けられた素子である。すなわち、スイッチング素子２２６の数は、画素電極２２１の数と同数である。スイッチング素子２２６は、走査線２２４とデータ線２２５との間に印加される電圧に応じて、画素電極２２１への電圧の印加のオン・オフを切り替える。スイッチング素子２２６としては、例えば、ＴＦＴ（薄膜トランジスタ）が用いられる。
【００２２】
表示システム１０の構成は、以上のとおりである。この構成のもと、ユーザは、表示装置１００を使用する。表示装置１００は、駆動装置２００に対して着脱自在であるため、駆動装置２００と分離して、単独で使用可能である。すなわち、ユーザは、表示装置１００を自由に持ち運ぶことが可能である。
一方、ユーザは、表示装置１００に表示された画像を書き換えようとするときには、表示装置１００を駆動装置２００に装着する。このとき、ユーザは、表示装置１００をスロット２１０に差し込むことにより装着を行う。
【００２３】
表示装置１００が差し込まれると、駆動装置２００においては、保持部材２５０が表示装置１００の下方への移動を阻止する。これにより、表示装置１００は、上下方向に動かないように保持される。また、表示装置１００は、下方へ移動しない状態になると、付勢部材２４０により右方向、すなわち画素電極２２１及び導通電極２２２がある方向に付勢される。すなわち、このとき付勢部材２４０は、表示装置１００を左右方向に動かないように保持する。よって、表示装置１００は、保持部材２５０により保持され、付勢部材２４０により付勢されることによって、上下方向及び左右方向に動かないように保持される。
【００２４】
このように表示装置１００が装着されると、駆動装置２００においては、駆動回路２３１が書き換えを行うための動作を開始する。このとき、駆動回路２３１は、画素電極２２１が共通電極１２０に対して所定の電位差を生じさせるように、走査線２２４、データ線２２５及び導通電極２２２のそれぞれに対して電圧信号を供給する駆動を行う。ここにおける電位差は、各々の画素電極２２１に対応する画素に表示させる階調に応じて定まるものである。すなわち、各々の画素電極２２１に印加する電圧は、駆動により表示すべき画像に応じて定まる。
【００２５】
表示装置１００は、このようにして電圧が印加されると、印加された電圧に応じた画像を表示する。すなわち、表示装置１００においては、表示面の書き換えが行われる。駆動装置２００は、書き換えが終了すると、付勢部材２４０による付勢を解消し、表示装置１００を取り出せる状態にする。このとき、駆動装置２００は、上述したように保持部材２５０を押し上げ、表示装置１００の取り出しを容易にしてもよい。このような動作を行うと、書き換えが終了したことをユーザに知らせることも可能となる。
【００２６】
以上のとおり、本実施形態の表示システム１０は、表示装置１００が書き換え可能であり、表示装置１００と駆動装置２００とが分離可能である。よって、表示装置１００は、単独で表示の用に供されることが可能である。この表示装置１００は、それ自体はいわゆるフロントプレーン部を備えるのみであり、いわゆるバックプレーン部（本実施形態でいうところの第１基板２２０及び第２基板２３０）を有さない構成である。そのため、表示装置１００は、フロントプレーン部とバックプレーン部とを兼備する構成の電子ペーパと比べ、部品数を少なくすることが可能である。
【００２７】
また、一般に、バックプレーン部は、フロントプレーン部よりも重量があり、厚みもある。例えば、バックプレーン部を構成するガラス基板は、通常、少なくとも５００μｍ程度の厚さを有し、その比重も２．５程度である。よって、バックプレーン部は、フロントプレーン部とバックプレーン部とを兼備する構成の電子ペーパにおいて、重量及び厚さの大部分を占めている。一方、本実施形態の表示装置１００は、絶縁シート１１０（１００μｍ程度）、共通電極１２０（数μｍ程度）、表示素子１３０（６０μｍ程度）及び支持シート１４０（数μｍ程度）の４層を重ね合わせても、この４層のみであればせいぜい１８０μｍ程度であり、２００μｍにも満たない。ゆえに、本実施形態の表示装置１００によれば、フロントプレーン部とバックプレーン部とを兼備する構成の電子ペーパよりも、重量と厚さの双方を大幅に削減することを期待することができる。
【００２８】
なお、本発明の発明者の試作によると、上述した表示装置１００の要領で作成されたフロントプレーン部は、その厚さが約２００μｍ、重量が約１０ｇであった。一方、このフロントプレーン部とバックプレーン部とを一体にした電子ペーパは、電池の重量を除いたとしても、その厚さが約７００μｍ、重量が約６７ｇであった。
【００２９】
また、バックプレーン部を構成するガラス基板は、落下等の衝撃により比較的容易に破損し、また、曲げることも不可能である。加えて、表示素子を駆動する駆動回路も、曲げや衝撃により動作不能となる可能性がある。一方、本実施形態の表示装置１００は、このようなガラス基板や駆動回路を備えないため、これらを備える電子ペーパに比べ、破損したり動作不能になったりする可能性を著しく低減させることが可能である。
【００３０】
［変形例］
本発明は、上述した実施形態と異なる形態での実施が可能である。以下に示す変形例は、本発明に適用可能な変形の一例である。なお、これらの変形例は、必要に応じて、各々を適宜に組み合わせて実施されてもよい。
【００３１】
（１）変形例１
本発明において、表示装置側の導通電極（第１の導通電極）は、上述した実施形態のように共通電極１２０と一体に設けられていなくてもよい。例えば、第１の導通電極と共通電極とを配線により導通する構成としてもよい。このような構成の場合は、第１の導通電極と共通電極とが隣接していなくてもよく、離間していてもよいため、第１の導通電極と共通電極とを一体に設けた場合に比べ、これらの配置を制約なしに変化させることが可能となる。
一方、共通電極と第１の導通電極とを一体に設けた場合は、これらを導通するための構成が不要となるため、共通電極と第１の導通電極とを別体にして設けた場合に比べ、構成を簡素にすることができるという効果がある。
【００３２】
（２）変形例２
上述した実施形態は、表示装置に導通部（第１の導通電極）を１つ設ける構成であったが、導通部は複数あってもよい。また、導通部は、共通電極と導通可能であれば、その位置を問わない。
【００３３】
図７は、導通部の構成の第１の例を示す図である。なお、以降の図において、上述した実施形態と同様の構成である部分には、同一の符号を付す。本例は、表示素子１３０の表面側に共通電極１２０を設け、表示素子１３０の裏面側に導通部１２１を設けたものである。共通電極１２０と導通部１２１とは、別体に設けられてもよいし、例えば１枚の導電膜を表示素子１３０の端部で折り曲げ、表面側を共通電極１２０、裏面側を導通部１２１としてもよい。なお、本例のような構成とした場合、導通電極２２２、すなわち第２の導通電極に相当する電極は、導通部１２１と接触する位置に設けられる必要がある。例えば、本例に対応する駆動装置は、図４に示した構成において、付勢部材２４０に第２の導通電極が設ける構成とすればよい。導通部を本例のように構成した場合、上述した非表示領域１００Ｂに相当する領域を少なくすることが可能であり、表示面の比率を増加させることが可能である。例えば、本例によれば、表示装置の一面のすべてを表示領域とし、画像が表示されない領域（いわゆる額縁領域）をなくすことが可能であり、よりペーパライクな表示装置が得られる。
【００３４】
図８は、導通部の構成の第２の例を示す図である。本例は、長方形である共通電極４３０のある辺に導通部４１０を設け、この辺に対向する辺に導通部４２０を設けたものである。なお、同図においては、導通部４１０を下辺に設け、導通部４２０を上辺に設けているが、これらを左右の辺に設けてもよい。また、導通部４１０及び４２０は、図８（ａ）のように共通電極４３０の辺の長さと同じ長さで設けられてもよいし、図８（ｂ）のように共通電極４３０の辺よりも短く設けられてもよい。さらに、導通部４１０及び４２０は、図８に示す構成のいずれにおいても、共通電極４３０の中心（図中の点Ｏ）に対して対称となる位置に設けられていると、より望ましい。
【００３５】
図９は、本例の導通部に対応する第２の導通電極を示す図であり、図８（ｂ）の構成に対応するものである。図９（ａ）の構成は、導通部４１０及び４２０のそれぞれに対応するように、画素電極５３０の上下に２つの導通電極５１０及び５２０を設けたものであり、図９（ｂ）の構成は、導通電極５１０を設け、導通電極５２０を設けないものである。
【００３６】
図８に示すように、導通部４１０及び４２０を共通電極４３０の中心に対して対称に設けると、表示装置の装着時において、表示装置の上下を考慮せずに差し込んでもよくなり、書き換えの際の使い勝手が向上する。この場合において、導通部４１０及び４２０は、そのいずれか一方が導通すれば十分であるため、第２の導通電極が図９（ｂ）のような構成であっても差し支えがない。
ただし、図９（ａ）の構成を用いた場合、共通電極４３０が導通部４１０及び４２０の双方と導通するため、図９（ｂ）のように一方のみと導通する場合に比べ、共通電極４３０の電位が上辺から下辺に渡って安定しやすくなり、上辺と下辺の電位の差が小さくなるという別の効果がある。
【００３７】
なお、本変形例において、共通電極の形状は、長方形に限らない。共通電極の形状は、表示面に相当する領域が対称な図形、すなわち、中心となる点に対して対称な形状を有していればよい。
【００３８】
（３）変形例３
上述した実施形態の付勢部材２４０は、本発明の付勢手段の一例である。しかし、付勢部材２４０は、付勢することによって表示装置１００を左右方向に動かないように保持するものであるため、本発明の保持部材の一例であるとみなすこともできる。また、付勢部材２４０と保持部材２５０とは、協働することによって表示装置１００を保持する手段として機能しているとみなすこともできる。
【００３９】
なお、本発明の付勢手段は、付勢部材２４０のように押圧により付勢するものに限定されない。本発明の付勢手段は、例えば、空気を吹き付けることにより表示装置を画素電極側に押し付けるものであってもよいし、画素電極側から空気を吸引することにより表示装置を画素電極側に吸着させるものであってもよい。要するに、本発明の付勢手段は、表示装置の支持部材と画素電極とが密着するような力を発生させるものであれば、その具体的な構成は問われないものである。
【００４０】
しかしながら、本発明において、付勢手段は、必須の構成ではない。書き換え時に表示装置を動かないようにする他の代替手段が存在すれば、付勢手段は不要であるし、ユーザ自身が表示装置を押さえつけておいてもよいからである。しかし、表示装置が書き換え時に容易に動き得ると、表示素子への電圧印加が不十分となったり、電圧が印加される位置がずれたりする可能性があるため、好ましくはない。
【００４１】
（４）変形例４
本発明において、書き換えを行うタイミング、すなわち駆動回路が電圧印加を開始するタイミングは、表示装置が動かないように保持された後であるのが望ましい。かかるタイミングは、上述したデータ供給装置３００を用いてユーザによって指定されてもよいし、ユーザがタイミングを指定するための操作子（ボタン等）を駆動装置に設け、この操作子の操作に応じて決められてもよい。
【００４２】
また、本発明に係る駆動装置は、表示装置が動かないように保持されたことを検知する検知手段を備え、この検知手段による検知の後に電圧の印加を開始する構成としてもよい。このようにすれば、ユーザ自身が指定することなく、適当なタイミングで書き換えを開始することが可能となる。かかる検知手段としては、例えば、電流又は電圧を測定することにより、第２の導通電極と共通電極とが導通していることを電気的に検知するものを用いることができる。また、本発明に係る駆動装置は、表示装置の位置をセンサにより検知し、表示装置が所定の位置に決められた時間以上動かずに存在していた場合をもって電圧の印加を開始するようにしてもよい。
【００４３】
（５）変形例５
本発明に係る駆動装置は、画像を読み取り、読み取った画像を表す画像データを生成する読取手段を備えてもよい。かかる読取手段としては、例えば、ＣＣＤ（Charge Coupled Device）等の撮像素子を用いたラインセンサやエリアセンサを用いることができる。なお、本発明の読取手段は、駆動装置とは別体に構成されており、生成した画像データを駆動装置に供給するような構成であってもよい。
【００４４】
本発明の読取手段は、例えば、表示装置の所定の位置を読み取るように構成される。この場合において、「所定の位置」とは、当該表示装置において書き換え後に表示されるべき画像を特定できる情報が描画されている位置をいう。かかる情報は、例えば、ある文書のページ番号などである。この例を上述した実施形態に基づいて説明すると、次のようになる。すなわち、データ供給装置３００は、あらかじめ、複数ページの画像からなる文書を表す画像データをページ毎に記憶しており、この画像データは、所定の位置にページ番号が描画されるように構成されている。読取手段は、駆動装置２００に装着される表示装置１００に表示されているページ番号を読み取り、この画像データをデータ供給装置３００に供給する。データ供給装置３００は、例えばＯＣＲ（Optical Character Recognition）機能によってページ番号を認識し、当該ページ番号の次のページ番号の画像データを供給する。駆動装置２００は、この画像データ（すなわち読み取ったページ番号に応じた画像データ）に応じた電圧を印加し、表示装置１００を駆動する。このようにすれば、駆動装置２００は、ユーザによって次に表示すべき画像が指定されなくても、読み取った情報に応じた画像に書き換えることが可能となる。
【００４５】
なお、本発明は、読取手段を設けることにより、本発明に係る駆動装置を複写装置として機能させることが可能である。例えば、駆動装置は、読取手段がある原稿を読み取った場合に、読み取った画像データを各画素電極に応じた階調で表し、当該階調に応じた電圧を各画素電極に印加することで、読み取った原稿を表す画像を表示装置に表示させることが可能である。
【００４６】
図１０は、本発明の読取手段を例示する図であり、読取手段を駆動装置と一体に設けた場合の図である。同図に示す駆動装置２００ａは、図４に示した構成に加え、搬送ローラ２６０と、ラインセンサ２７０とを備える。搬送ローラ２６０は、原稿を一定の速度で搬送する部材である。ラインセンサ２７０は、搬送ローラ２６０により搬送された原稿を読み取り、読み取った原稿を表す画像データを生成する。なお、ここにおける原稿は、表示装置と同程度のサイズの紙であってもよいが、表示装置が複数ある場合には、表示装置であってもよい。
【００４７】
ユーザは、複写を行うとき、駆動装置２００ａのスロット２１０に原稿を差し込む。駆動装置２００ａは、搬送ローラ２６０によって原稿を下方に搬送しつつ、ラインセンサ２７０によって原稿を読み取る。駆動装置２００ａは、原稿を読み取り、画像データを生成したら、搬送ローラ２６０によって原稿を上方に搬送し、ユーザに原稿を取り出させる。その後、駆動装置２００ａは、表示装置が差し込まれると、事前に生成した画像データに応じた電圧を表示装置に印加し、原稿に相当する画像を表示させる。
【００４８】
（６）変形例６
本発明に係る表示装置及び駆動装置は、個々の装置を識別する識別手段と、その識別手段を認識する認識手段とを備えてもよい。例えば、表示装置に識別情報を記憶したＲＦＩＤ（Radio Frequency IDentification）タグを設け、駆動装置にＲＦＩＤタグを認識するリーダを設けてもよい。このようにすれば、個々の表示装置の識別情報に応じた画像を表示させることが可能である。
なお、表示装置の所定の位置に個々の装置を識別する情報を印刷するなどしておけば、上述した読取手段を認識手段として用いることも可能となる。
【００４９】
（７）変形例７
上述した実施形態において、画素電極２２１及び導通電極２２２は、ガラス板である第１基板２２０に形成されており、各々が同一の平面をなすように形成されている。しかし、本発明の画素電極及び第２の導通電極は、各々が同一の曲面をなすように形成されていてもよい。この場合、表示装置は、書き換えの際に、画素電極及び第２の導通電極がなす曲面に沿って曲げられてこれらに接触すればよい。
【００５０】
（８）変形例８
上述した表示装置１００は、絶縁シート１１０、共通電極１２０及び支持シート１４０を透明な部材で構成することにより、表面及び裏面の双方に画像を表示させることが可能である。この場合、裏面に表示される画像は、表面に表示された画像の階調を反転させた画像となる。なお、両面に画像を表示させる必要がない場合には、絶縁シート１１０、共通電極１２０又は支持シート１４０のいずれかを不透明な部材で構成するか、あるいは、表面側か裏面側のいずれかに不透明な別の部材を１層設ければよい。
【００５１】
（９）変形例９
本発明の表示素子は、上述した電気泳動素子に限定されない。本発明の表示素子は、例えば、コレステリック液晶を用いた表示素子であってもよい。
また、本発明において、画素電極の数、すなわち画素数は、任意である。加えて、画素電極の配置も、マトリクス状に限らず、例えば、いわゆるセグメント表示を行うような配置であってもよい。
【図面の簡単な説明】
【００５２】
【図１】本発明に係る表示システムの構成を示す図
【図２】表示装置の外観を示す図
【図３】表示装置の構成を示す断面図
【図４】駆動装置の内部の構成を示す図
【図５】第１基板の構成を示す図
【図６】第１基板の構成を示す図
【図７】導通部の構成を示す図
【図８】導通部の構成を示す図
【図９】第２の導通電極を示す図
【図１０】本発明の読取手段を示す図
【符号の説明】
【００５３】
１０…表示システム、１００…表示装置、１１０…絶縁シート、１２０…共通電極、１３０…表示素子、１４０…支持シート、２００…駆動装置、２１０…スロット、２２０…第１基板、２２１…画素電極、２２２…導通電極、２３０…第２基板、２３１…駆動回路、２４０…付勢部材、２５０…保持部材、３００…データ供給装置
【図１】
2009216807.tif 000003
【図２】
2009216807.tif 000004
【図３】
2009216807.tif 000005
【図４】
2009216807.tif 000006
【図５】
2009216807.tif 000007
【図６】
2009216807.tif 000008
【図７】
2009216807.tif 000009
【図８】
2009216807.tif 000010
【図９】
2009216807.tif 000011
【図１０】
2009216807.tif 000012